(57)【要約】      （修正有）【課題】隙間を通して雄端子が短絡することを抑制する。【解決手段】コネクタは、雄端子４１と、フード部を有して複数の雄端子４１をフード部内に並べて収容した雄ハウジング４２と、雄端子４１と接続可能な雌端子２１を内部に複数収容して、フード部内に嵌合される雌ハウジング２２と、フード部内に初期位置と完了位置との間を変位可能に装着され、雄端子４１が正規の姿勢となるように支持するムービングプレート６０と、雌ハウジング２２に突出して設けられ、フード部と雌ハウジング２２とが嵌合した際に、隣り合う雄端子４１間に配されるようにしてムービングプレート６０を前後に貫通すると共に、雄ハウジング４２に嵌合される極間遮断部３０とを備える。【選択図】図１５
2016115461.tif 000002
【特許請求の範囲】
【請求項１】
雄端子と、
フード部を有して複数の前記雄端子を前記フード部内に並べて収容する雄ハウジングと、
前記雄端子と接続可能な雌端子を内部に複数収容して、前記フード部内に嵌合される雌ハウジングと、
前記雄端子を位置決めするようにして前記フード部内に装着され、前記フード部と前記雌ハウジングとが嵌合した際に、前記雌ハウジングと前記フード部とに挟まれるムービングプレートと、
前記雌ハウジングに突出して設けられ、前記フード部と前記雌ハウジングとが嵌合した際に、隣り合う前記雄端子間に配されるようにして前記ムービングプレートを前後に貫通すると共に、前記雄ハウジングに設けられた嵌合凹部に嵌合される極間遮断部とを備えるコネクタ。
【請求項２】
前記ムービングプレートは、前記フード部内における初期位置と完了位置との間を変位可能とされ、前記フード部と前記雌ハウジングとの嵌合過程において、前記雌ハウジングによって押圧されることにより前記初期位置から前記完了位置まで変位するようになっており、
前記極間遮断部は、前記雌ハウジングに複数設けられ、
複数の前記極間遮断部のうちの少なくとも一部の前記極間遮断部の突出端には、前記ムービングプレートと係合することにより、前記フード部と前記雌ハウジングとの離脱に伴って前記ムービングプレートを前記完了位置から前記初期位置に変位させる係合突起が設けられている請求項１に記載のコネクタ。
【請求項３】
前記ムービングプレートが前記完了位置から前記初期位置に至ると、前記ムービングプレートに設けられた被係止部が前記雄ハウジングに設けられた初期位置係止部に係止することにより、前記ムービングプレートと前記係合突起との被係合が解除され、前記ムービングプレートが前記初期位置に保持される請求項２に記載のコネクタ。
【請求項４】
前記雌端子は、前記雌ハウジング内において隔壁によって仕切られることにより上下左右に整列された複数のキャビティにそれぞれ収容されるようになっており、
前記極間遮断部は、前記隔壁に沿うように板状に形成され、前記複数のキャビティ間に亘って一括して形成されている請求項１から請求項３の何れか一項に記載のコネクタ。
【発明の詳細な説明】
【技術分野】
【０００１】
本明細書によって開示される技術は、コネクタに関する。
【背景技術】
【０００２】
例えば、ムービングプレートを備えたコネクタとして、特開平１１−２０４１８４号公報（下記特許文献１）に記載のものが知られている。このコネクタは、フード部を有して内部に複数のおす型コンタクトが収容される第１ハウジングと、フード部内に装着されて初期位置と完了位置との間を前後に変位する保持装置と、おす型コンタクトに接続される複数のめす型コンタクトを収容してフード部内に嵌合される第２ハウジングとを備えている。
【０００３】
第１ハウジングの複数のおす型コンタクトは、フード部内において、並列するようにして横並びに保持されており、フード部内に装着された保持装置により先端部を支持されることで正規の姿勢に保持されている。保持装置は、第１ハウジングの複数のおす型コンタクトを支持する保持プレートを有しており、保持プレートの下端部には、フード部内に設けられた凹部に係止することで保持装置を初期位置に保持する係合部が前方に向けて突出した形態で設けられている。
【０００４】
保持装置は、第２ハウジングをフード部内に嵌合させる際に、第２ハウジングによって押し込まれることで、初期位置から嵌合位置へ変位するようになっており、保持装置の変位に伴っておす型コンタクトが第２ハウジング内に進入し雌端子と接続されるようになっている。
また、第２ハウジングがフード部から離脱する際には、保持プレートの上端部から前方に突出して設けられた係合部が第２ハウジングに設けられた溝に嵌まり込むことで、第２ハウジングの離脱に伴って保持装置が完了位置から初期位置に引き戻されるようになっている。
【先行技術文献】
【特許文献】
【０００５】
【特許文献１】特開平１１−２０４１８４号公報
【発明の概要】
【発明が解決しようとする課題】
【０００６】
ところで、上記のコネクタによると、第１ハウジングと第２ハウジングとの嵌合後でも、第１ハウジングと第２ハウジングとの境界部分や第１ハウジングと保持装置との境界部分では、両ハウジング間の隙間および第１ハウジングと保持装置と間の隙間を通しておす型コンタクトが横並びとなっている。このため、フード部内に浸入した異物が隙間を通しておす型コンタクト間に亘って横方向に接触すると、おす型コンタクト間で短絡が生じてしまう。
【課題を解決するための手段】
【０００７】
本明細書によって開示されるコネクタは、雄端子と、フード部を有して複数の前記雄端子を前記フード部内に並べて収容する雄ハウジングと、前記雄端子と接続可能な雌端子を内部に複数収容して、前記フード部内に嵌合される雌ハウジングと、前記雄端子を位置決めするようにして前記フード部内に装着され、前記フード部と前記雌ハウジングとが嵌合した際に、前記雌ハウジングと前記フード部とに挟まれるムービングプレートと、前記雌ハウジングに突出して設けられ、前記フード部と前記雌ハウジングとが嵌合した際に、隣り合う前記雄端子間に配されるようにして前記ムービングプレートを前後に貫通すると共に、前記雄ハウジングに設けられた嵌合凹部に嵌合される極間遮断部とを備える構成とした。
【０００８】
このような構成のコネクタによると、フード部と雌ハウジングとが嵌合した際に、雄端子間における雌ハウジングとムービングプレートとの間の隙間、雄端子間における雄ハウジングとムービングプレートとの間の隙間とに極間遮断部が配されることになるから、隣り合う雄端子間の短絡経路を遮断することができる。これにより、フード部内に異物が浸入した場合においても、隙間を通して雄端子同士が短絡することを抑制することができる。
【０００９】
本明細書によって開示される技術の態様として、以下の構成としてもよい。
前記ムービングプレートは、前記フード部内における初期位置と完了位置との間を変位可能とされ、前記フード部と前記雌ハウジングとの嵌合過程において、前記雌ハウジングによって押圧されることにより前記初期位置から前記完了位置まで変位するようになっており、前記極間遮断部は、前記雌ハウジングに複数設けられ、複数の前記極間遮断部のうちの少なくとも一部の前記極間遮断部の突出端には、前記ムービングプレートと係合することにより、前記フード部と前記雌ハウジングとの離脱に伴って前記ムービングプレートを前記完了位置から前記初期位置に変位させる係合突起が設けられている構成としてもよい。
【００１０】
このような構成によると、極間遮断部の突出端に係合突起を設け、この係合突起をムービングプレートに係合させるだけで、ムービングプレートを完了位置から初期位置に変位させることができるから、ムービングプレートを完了位置から初期位置に変位させるためだけに、ムービングプレートに係合部を別途設ける必要がなく、ムービングプレートを完了位置から初期位置に変位させるための構造を簡素化することができる。
【００１１】
前記雌端子は、前記雌ハウジング内において隔壁によって仕切られることにより上下左右に整列された複数のキャビティにそれぞれ収容されるようになっており、前記極間遮断部は、前記隔壁に沿うように板状に形成され、前記複数のキャビティ間に亘って一括して形成されている構成としてもよい。
このような構成によると、極間遮断部が複数のキャビティ間に亘って一括して形成されているから、各キャビティ間に極間遮断部を個別に設ける場合に比べて、極間遮断部の構造の簡素化を図りつつ、極間遮断部の剛性を高めることができる。
【００１２】
前記ムービングプレートが前記完了位置から前記初期位置に至ると、前記ムービングプレートに設けられた被係止部が前記雄ハウジングに設けられた初期位置係止部に係止することにより、前記ムービングプレートと前記係合突起との被係合が解除され、前記ムービングプレートが前記初期位置に保持される構成としてもよい。
このような構成によると、ムービングプレートが初期位置に至ると、被係止部と初期位置係止部とが係合することで、係止突起とムービングプレートとの係合が解除されてムービングプレートが初期位置に保持されるから、雌ハウジングに連れられて、ムービングプレートが初期位置よりも雌ハウジング側に変位したり、ムービングプレートがフード部から脱落したりすることを防ぐことができる。
【発明の効果】
【００１３】
本明細書によって開示される技術によれば、フード部内に異物が浸入した場合においても、隙間を通して雄端子同士が短絡することを抑制することができる。
【図面の簡単な説明】
【００１４】
【図１】雌ハウジングの正面図
【図２】同平面図
【図３】同側面図
【図４】同背面図
【図５】ムービングプレートが装着された雄ハウジングの斜視図
【図６】雄ハウジングにムービングプレートを装着する前の状態を示す斜視図
【図７】雄ハウジングの正面図
【図８】同背面図
【図９】ムービングプレートの正面図
【図１０】ムービングプレートの側面図
【図１１】雄コネクタと雌コネクタとの嵌合前の状態を示す断面図
【図１２】雌コネクタが雄コネクタに浅く嵌合されてムービングプレートに当接した状態を示す断面図
【図１３】雄コネクタと雌コネクタとが正規嵌合する直前の状態を示す断面図
【図１４】雄コネクタと雌コネクタとが正規嵌合した状態を示す断面図
【図１５】図１４の要部拡大断面図
【発明を実施するための形態】
【００１５】
＜実施形態＞
実施形態について図１から図１５を参照して説明する。
本実施形態のコネクタ１０は、前方に向かって開口するフード部４３を有する雄コネクタ４０と、雄コネクタ４０のフード部内に嵌合される雌コネクタ２０とを備えて構成されている。なお、以下の説明において、前後方向とは図１１における雌コネクタ２０と雄コネクタ４０との嵌合方向を基準とし、両コネクタ２０，４０が互いに嵌合する側を前側として説明する。
【００１６】
雌コネクタ２０は、雌端子２１と、複数の雌端子２１を収容する合成樹脂製の雌ハウジング２２とを備えて構成されている。
雌ハウジング２２は、図１から図４に示すように、略方形のブロック状をなしている。雌ハウジング２２の内部には、図４に示すように、上下左右に延びる格子状の雌側隔壁（「隔壁」の一例）２３によって仕切られることにより上下左右に整列された複数のキャビティ２４が設けられており、左右方向に並ぶキャビティ２４間のピッチは、上下方向に並ぶキャビティ２４間のピッチに比べて、小さく設定されている。また、各キャビティ２４は、図１１から図１４に示すように、雌ハウジング２２を前後に貫通して形成されており、キャビティ２４内には、後方から雌端子２１が個別に収容されている。
【００１７】
雌端子２１は、図１１から図１４に示すように、角筒状の接続筒部２５の後方に電線Ｗが圧着された電線接続部２６を有する形態とされている。
雌ハウジング２２の左右両側の外側面には、図３に示すように、前後に延びる一対の外側ガイド溝２７が設けられている。一対の外側ガイド溝２７は、外側面から互いに近づく方向である内側に向かって凹んで形成されており、雌ハウジング２２の前端面２２Ａから後端面２２Ｂまで前後方向に直線状に延びた形態とされている。
各外側ガイド溝２７の前端部には、外側に向けて突出する略方形のブロック状をなす押圧突部２８がそれぞれ形成されている。
【００１８】
雄コネクタ４０は、雌コネクタ２０の雌端子２１に接続される雄端子４１と、複数の雄端子４１を収容する合成樹脂製の雄ハウジング４２と、雄ハウジング４２に装着される合成樹脂製のムービングプレート６０とを備えて構成されている。
雄ハウジング４２は、図５および図８に示すように、全体としては前後に長い略方形のブロック状をなしており、前方に開口するフード部４３の後方に端子収容部４４が設けられた形態とされている。
【００１９】
端子収容部４４の内部には、図８に示すように、上下左右に延びる格子状の雄側隔壁４５によって仕切られることで上下左右に整列された複数のキャビティ４６が設けられており、左右方向に並ぶキャビティ４６間のピッチは、雌ハウジング２２と同様に、上下方向に並ぶキャビティ４６間のピッチに比べて小さく設定されている。各キャビティ４６は、図６および図１１に示すように、フード部４３の奥壁４３Ａにおいて奥壁開口４６Ａを有するようにして端子収容部４４を前後に貫通して形成されており、各キャビティ４６内には、雄端子４１が後方から個別に収容されている。
【００２０】
雄端子４１は、前後に長い平板状のタブ状接続部４７の後方に電線Ｗが圧着された電線接続部４８を有する形態とされている。雄端子４１は、端子収容部４４内に収容されると、フード部４３の奥壁４３Ａにおける奥壁開口４６Ａからフード部４３の内部空間にタブ状接続部４７を突出させた状態で収容されるようになっており、上下左右に並んだキャビティに合わせて雄端子もフード部内において上下左右に整列した状態で配されるようになっている。
【００２１】
フード部４３は、前方に向けて略矩形状に開口した形態とされており、フード部４３内には、ムービングプレート６０が、図５および図１１に示す初期位置と図１４に示す完了位置との間を前後方向に変位可能に前方から装着されている。また、フード部４３内にムービングプレート６０が装着された後には、雌ハウジング２２が前方から嵌合されるようになっている。
フード部４３の左右両側の内壁４３Ｂには、図６および図７に示すように、前端開口から後方に向けて直線状に延びる上下一対の内側ガイド溝４９がそれぞれ形成されている。
【００２２】
各内側ガイド溝４９は、前方およびフード部４３の内部空間側である内側に向かって開口して形成されており、外側に向かって凹状に凹んだ形態とされている。
フード部４３の左右両側の内壁４３Ｂにおいて内側ガイド溝４９が設けられた位置よりも後方には、一対の初期位置係止片（「初期位置係止部」の一例）５０が設けられている。
【００２３】
各初期位置係止片５０は、図６、図１１から図１４に示すように、フード部４３の奥壁４３Ａから前方に向かって延びる上下方向に幅広な板状に形成されており、初期位置係止片５０の基端部を支点に左右方向に弾性変位可能とされている。一対の初期位置係止片５０の前端部における内側の面には、互いに外側に向けて凹んだ上下に延びる係止凹部５１が形成されている。
【００２４】
係止凹部５１は、初期位置係止片５０の上端縁部によって上部が塞がれた形態とされており、初期位置係止片５０の上端縁部は、内側に向かって山形状に張り出した被押圧部５２とされている。
被押圧部５２における前後両側の傾斜面には、雌ハウジング２２とフード部４３とが嵌合および離脱する際に、雌ハウジング２２の押圧突部２８が乗り上げるようになっており、被押圧部５２に押圧突部２８が乗り上げることで初期位置係止片５０が外側に向けて弾性変位するようになっている。
【００２５】
係止凹部５１の前側内面は、図１１から図１４に示すように、フード部４３と雌ハウジング２２とが嵌合する嵌合方向（前後方向）と直交する面とされており、フード部４３内に装着されたムービングプレート６０が初期位置に至った際に、後述するムービングプレート６０の被係止縁部（「被係止部」の一例）６４を前方から係止する前側係止面５１Ａとされている。係止凹部５１の後側内面は、前側係止面５１Ａと同様に、嵌合方向と直交する面とされており、ムービングプレート６０が初期位置に至った際に、ムービングプレート６０の被係止縁部６４を後方から係止する後側係止面５１Ｂとされている。
【００２６】
ムービングプレート６０は、図６、図９および図１０に示すように、平板状のプレート本体６１と、プレート本体６１の左右両側縁部にそれぞれ設けられた上下一対のガイド部６２とを備えて構成されている。
プレート本体６１には、上下左右に整列された複数の位置決め孔６３が設けられている。これらの位置決め孔６３は、ムービングプレート６０がフード部４３内に装着された際に、フード部４３の内部空間に突出した雄端子４１のタブ状接続部４７がそれぞれ挿通されるようになっており、位置決め孔６３の開口縁部によってタブ状接続部４７が上下左右に傾かないように位置決めされるようになっている。
【００２７】
プレート本体６１において上下一対のガイド部６２の間に配された左右両側の側縁部は、初期位置係止片５０の係止凹部５１に嵌合可能な被係止縁部６４とされている。被係止縁部６４は、ムービングプレート６０が初期位置に配されると、図１１に示すように、係止凹部５１に嵌合されて前側係止面５１Ａと後側係止面５１Ｂとによって前後から係止されるようになっており、被係止縁部６４が係止凹部５１内に嵌合されることで、ムービングプレート６０が初期位置に保持される。
【００２８】
プレート本体６１の左右両側にそれぞれ設けられた合計４つのガイド部６２は、何れもプレート本体６１から前方に向けて直線状に延びる角柱状をなしている。これらのガイド部６２は、フード部４３内の内側ガイド溝４９に対応するように配されており、ムービングプレート６０をフード部４３内に装着する際に、各ガイド部６２が内側ガイド溝４９内に前方から嵌合するようになっている。
【００２９】
また、各ガイド部６２は、内側ガイド溝４９から内側にやや突出した状態で内側ガイド溝４９内に嵌合されるようになっており、各ガイド部６２において内側に突出した部分は、フード部４３内に嵌合される雌ハウジング２２の外側ガイド溝２７内に嵌合されるようになっている。
つまり、ムービングプレート６０は、フード部４３の内側ガイド溝４９にガイド部６２を嵌合させることで、上下左右に傾くことなく正規の姿勢で前後に変位可能となり、雌ハウジング２２は、フード部４３の内側ガイド溝４９に嵌合されたムービングプレート６０のガイド部６２に雌ハウジング２２の外側ガイド溝２７を嵌合させることで、上下左右に傾くことなく正規の姿勢で前後に変位可能となるように構成されている。
【００３０】
また、ムービングプレート６０は、フード部４３内に雌ハウジング２２が嵌合される過程において、雌ハウジング２２の前端面２２Ａが、前方から当接し、雌ハウジング２２に前方から押圧されることで、完了位置に向かって変位するようになっている。
詳細には、図１２に示すように雌ハウジング２２が、ムービングプレート６０におけるプレート本体６１の前面に当接したところで、雌ハウジング２２の一対の押圧突部２８がフード部４３の一対の初期位置係止片５０における被押圧部５２の前側の傾斜面に当接する。
【００３１】
そして、このまま嵌合操作が進むと、押圧突部２８が被押圧部５２の前側の傾斜面に乗り上げ、各初期位置係止片５０が外側に弾性変位する。そして、各初期位置係止片５０が外側に弾性変位したことにより、係止凹部５１とプレート本体６１の被係止縁部６４との嵌合状態が解除され、ムービングプレート６０が完了位置に向かって変位可能となる。
【００３２】
その後、さらに嵌合操作が進むと、プレート本体６１が雌ハウジング２２に前方から押圧されることで、完了位置に向かって後方に変位する。そして、雌ハウジング２２とフード部４３とが正規の嵌合状態に至ると、図１４に示すように、プレート本体６１が雌ハウジング２２の前端面２２Ａとフード部４３の奥壁４３Ａとによって前後から挟まれた状態となり、完了位置に配される。また、プレート本体６１がフード部４３の奥側に押圧されると、図１３に示すように、雄端子４１がプレート本体６１よりも前方に突出した状態となり、雌ハウジング２２とフード部４３とが正規の嵌合状態に至ると、図１４に示すように、雄端子４１のタブ状接続部４７が雌ハウジング２２の雌端子２１における接続筒部２５内に進入し、雄端子４１と雌端子２１とが電気的に接続される。
【００３３】
さて、雌ハウジング２２の前端面２２Ａには、図２、図３、図１１および図１５に示すように、複数の極間遮断部３０が設けられており、これらの極間遮断部３０は、雌ハウジング２２と雄ハウジング４２のフード部４３とが正規に嵌合した際に、ムービングプレート６０に設けられた複数の貫通孔６５をそれぞれ前後方向に貫通すると共に、フード部４３の奥壁４３Ａに設けられた複数の嵌合凹部５５にそれぞれ嵌合するようになっている。
【００３４】
各極間遮断部３０は、図１、図１１および図１５に示すように、雌ハウジング２２において左右に隣り合うキャビティ２４間に配される上下に延びる雌側隔壁２３に沿うようにして雌ハウジング２２の前端面２２Ａに形成されている。言い換えると、上下方向に並ぶキャビティ２４間よりもキャビティ２４間のピッチが小さい左右方向に並ぶキャビティ２４間の雌側隔壁２３に極間遮断部３０が設けられている。
【００３５】
また、各極間遮断部３０は、上下方向に並ぶキャビティ２４が設けられた高さ範囲全体に亘って配された１枚の板状に形成されており、極間遮断部３０左右両側の側面は前方に向かうほど極間遮断部３０の板厚が小さくなるように傾斜した形態とされている。言い換えると、極間遮断部３０は、図２および図１５に示すように、前方に向かうほど先細りとなる平面視三角状をなしており、上下に並ぶキャビティ２４の高さ範囲の全高に亘って一括して形成されている。また、極間遮断部３０の突出寸法は、ムービングプレート６０におけるプレート本体６１の板厚寸法よりも大きく設定されており、極間遮断部３０が前後方向に貫通孔６５を貫通すると、プレート本体６１の後面から極間遮断部３０の先端部分が突出するようになっている。
【００３６】
また、複数の極間遮断部３０のうち、左右両側に配された極間遮断部３０の前端部には、係合突起３１がそれぞれ設けられている。係合突起３１は、図１５に示すように、その左右両側の側面が、前端から後方に向かうほど、他の極間遮断部３０よりも広く拡幅された後、その後端部から後方に向かうほど僅かに内側に向かって傾斜する傾斜係合面３２を有した形態とされており、係合突起３１が形成された極間遮断部３０は、前後方向略中央部がくびれた平面視矢じり状に形成されている。
【００３７】
ムービングプレート６０の貫通孔６５は、図５、図６、図９、図１１および図１５に示すように、プレート本体６１を前後に貫通して形成されており、雌ハウジング２２の各極間遮断部３０に対応する配置で左右に隣り合う位置決め孔６３の間に配されている。貫通孔６５の開口形状は、図９に示すように、上下に並ぶ位置決め孔６３が設けられた範囲よりもやや上下方向に延びる上下に長い略矩形状に形成されており、図１５に示すように、後方に向かうほど左右方向に僅かに幅狭となるような形態とされている。したがって、貫通孔６５内に極間遮断部３０が前後方向に貫通されると、貫通孔６５の左右方向の内側面が極間遮断部３０に沿って配され、プレート本体６１と雌ハウジング２２との間に生じる左右に延びる隙間が極間遮断部３０によって遮られた状態となる。
【００３８】
また、複数の貫通孔６５のうち、左右両側に配された貫通孔６５における後側（フード部奥側）の開口は、その左右両側の開口縁が後方に向かってテーパ状に形成されており、左右両側の開口縁は、極間遮断部３０の係合突起３１が後方から面接触して係合する被係合面６６とされている。
被係合面６６は、雌ハウジング２２とフード部４３との離脱過程において、極間遮断部３０が後退する際に、係合突起３１の傾斜係合面３２が後方から面接触して係合するようになっており、被係合面６６と傾斜係合面３２とが係合することで、ムービングプレート６０が、雌ハウジング２２と共に、完了位置から初期位置に向かって変位するようになっている。
【００３９】
また、傾斜係合面３２と被係合面６６とが係合したところで、雌ハウジング２２の一対の押圧突部２８がフード部４３の一対の初期位置係止片５０における被押圧部５２の後側の傾斜面に当接し、押圧突部２８が被押圧部５２に乗り上げることで、各初期位置係止片５０が弾性変位する。
【００４０】
そして、このまま、離脱操作が進むと、ムービングプレート６０が初期位置に至って被押圧部５２と押圧突部２８との係合が解除され、プレート本体６１の被係止縁部６４が係止凹部５１内に嵌合されることで、被係止縁部６４が前側係止面５１Ａと後側係止面５１Ｂとによって前後から係止される。
そして、初期位置係止片５０によってムービングプレート６０が係止された状態で、さらに離脱操作が進むと、係合突起３１の傾斜係合面３２と貫通孔６５の被係合面６６とが摺動し、極間遮断部３０と共に係合突起３１が貫通孔６５から離脱する。これにより、係合突起３１の傾斜係合面３２と貫通孔６５の被係合面６６との係合が解除され、ムービングプレート６０が初期位置に保持されるようになっている。
【００４１】
一方、雄ハウジング４２の嵌合凹部５５は、図１１および図１５に示すように、フード部４３の奥壁４３Ａにおける左右に隣り合う奥壁開口４６Ａの間に後方に凹んだ形態で配されており、嵌合凹部５５の左右両側の内側壁は、フード部４３の奥壁４３Ａから後方に向かうほど互いに近づくように形成されている。また、フード部４３の奥壁４３Ａにおける嵌合凹部５５の開口形状は、ムービングプレート６０における貫通孔６５の左右方向の寸法よりも幅広に設定されており、上下に並ぶ奥壁開口４６Ａが設けられた範囲よりもやや上下に延びた上下に長い略矩形状に形成されている。
【００４２】
嵌合凹部５５には、フード部４３と雌ハウジング２２とを嵌合させる際に、ムービングプレート６０のプレート本体６１からフード部４３の奥部に向かって突出した極間遮断部３０が前方から嵌合されるようになっており、嵌合凹部５５内に極間遮断部３０を嵌合させることで、ムービングプレート６０と雄ハウジング４２との間における左右に延びる隙間が遮断されるようになっている。言い換えると、ムービングプレート６０と雄ハウジング４２との間における隣り合うキャビティ４６間の沿面距離を、嵌合凹部５５内に嵌合された極間遮断部３０の分だけ長くすることができるようになっている。
【００４３】
本実施形態は、以上のような構成であって、続いて、コネクタ１０の嵌合および離脱操作を説明すると共に、その作用および効果について説明する。
まず、コネクタ１０の嵌合操作の際には、図１１に示すように、雌コネクタ２０と雄コネクタ４０とを互いに向かい合わせに配置し、両コネクタ２０，４０を互いに近づけることで、雄ハウジング４２のフード部４３内に雌ハウジング２２を嵌合させる。
【００４４】
フード部４３と雌ハウジング２２との嵌合過程では、フード部４３に対して雌ハウジング２２を半分程度嵌合させると、雌ハウジング２２の極間遮断部３０がムービングプレート６０の貫通孔６５に前方から進入する。そして、プレート本体６１に雌ハウジング２２の前端面２２Ａが当接すると、図１２に示すように、極間遮断部３０がプレート本体６１の貫通孔６５を貫通し、極間遮断部３０の前端部がプレート本体６１からフード部４３の奥部に向かって突出した状態となる。これにより、ムービングプレート６０と雌ハウジング２２との間における隣り合うキャビティ４６間の隙間が極間遮断部３０によって遮断される。
【００４５】
また、雌ハウジング２２の前端面２２Ａがプレート本体６１に当接したところで、雌ハウジング２２の押圧突部２８が雄ハウジング４２の一対の初期位置係止片５０における被押圧部５２の前側の傾斜面に当接し、フード部４３と雌ハウジング２２との嵌合が進むに伴って、被押圧部５２に押圧突部２８が乗り上げ、初期位置係止片５０が外側に向けて弾性変位する。これにより、係止凹部５１とプレート本体６１の被係止縁部６４との嵌合状態が解除され、ムービングプレート６０が完了位置に向かって変位可能となる。
【００４６】
さらに、このままフード部４３と雌ハウジング２２とを嵌合させると、図１４に示すように、ムービングプレート６０が雌ハウジング２２により押圧されて雌ハウジング２２とフード部４３とが正規の嵌合状態に至り、プレート本体６１が、雌ハウジング２２の前端面２２Ａとフード部４３の奥壁４３Ａとによって前後から挟まれて完了位置に配される。
【００４７】
また、ムービングプレート６０が雌ハウジング２２により押圧されて後方に変位すると、プレート本体６１から前方に雄端子４１のタブ状接続部４７が突出し、フード部４３と雌ハウジング２２とが正規の嵌合状態に至ったところで、タブ状接続部４７が雌ハウジング２２の雌端子２１における接続筒部２５内に進入し、雄端子４１と雌端子２１とが電気的に接続される。
【００４８】
また、フード部４３と雌ハウジング２２とが正規の嵌合状態に至ると、プレート本体６１からフード部４３の奥部に向かって突出した極間遮断部３０の前端部が、嵌合凹部５５内に前方から嵌合し、ムービングプレート６０と雄ハウジング４２との間における隣り合うキャビティ４６間の隙間が極間遮断部３０によって遮断される。
【００４９】
つまり、本実施形態によると、フード部４３と雌ハウジング２２とが正規の嵌合状態に至ると、雌ハウジング２２の極間遮断部３０がムービングプレート６０の貫通孔６５を前後に貫通すると共に、雄ハウジング４２のフード部４３の奥壁４３Ａに設けられた嵌合凹部５５に前方から嵌合される。これにより、ムービングプレート６０と雌ハウジング２２との間における隣り合うキャビティ２４間の隙間が完全に遮断され、ムービングプレート６０と雄ハウジング４２との間における隣り合うキャビティ４６間の沿面距離が、嵌合凹部５５内に嵌合された極間遮断部３０の分だけ長くなる。
すなわち、仮にフード部４３内に異物が進入した場合においても、雌ハウジング２２とムービングプレート６０の間の隙間、ムービングプレート６０と雄ハウジング４２との間の隙間を通して隣り合う雄端子４１が短絡することを抑制することができる。
【００５０】
次に、コネクタ１０の離脱操作について説明する。
コネクタ１０の離脱操作の際には、雌コネクタ２０と雄コネクタ４０とを互いに引き離すようにして離脱させる。
ここで、フード部４３内から雌ハウジング２２が僅かに離脱すると、左右両側に配された極間遮断部３０の係合突起３１における傾斜係合面３２がプレート本体６１における貫通孔６５の被係合面６６に後方から面接触して係合する。これにより、雌ハウジング２２の離脱操作に伴って、ムービングプレート６０が完了位置から初期位置に向かって変位し始める。
【００５１】
また、傾斜係合面３２と被係合面６６とが係合したところで、雌ハウジング２２の一対の押圧突部２８がフード部４３の一対の初期位置係止片５０における被押圧部５２に当接し、押圧突部２８が被押圧部５２に乗り上げることで、各初期位置係止片５０が外側に弾性変位する。
【００５２】
そのまま更に離脱操作を続けると、ムービングプレート６０が初期位置に至り、被押圧部５２と押圧突部２８の係合が解除されることで、プレート本体６１の被係止縁部６４が係止凹部５１内に嵌合し、ムービングプレート６０が係止凹部５１の前側係止面５１Ａと後側係止面５１Ｂとによって前後から係止される。
【００５３】
ムービングプレート６０が係止された状態において、更に雌ハウジング２２とフード部４３との離脱を進めると、係合突起３１の傾斜係合面３２と貫通孔６５の被係合面６６とが摺動して極間遮断部３０と共に係合突起３１が貫通孔６５から離脱する。これにより、ムービングプレート６０が完了位置から初期位置に引き戻されて保持され、雌ハウジング２２と雄ハウジング４２との離脱が完了する。
すなわち、本実施形態によると、フード部４３と雌ハウジング２２との離脱操作に伴って、ムービングプレート６０を初期位置まで変位させ、初期位置に至ったところで、初期位置係止片５０によってムービングプレート６０を初期位置に保持することができる。
【００５４】
以上のように、本実施形態によると、雌ハウジング２２の前端面２２Ａにおいて上下に延びる雌側隔壁２３に沿うようにして極間遮断部３０を設け、この極間遮断部３０が、雌ハウジング２２とフード部４３との嵌合において、ムービングプレート６０を前後に貫通すると共にフード部４３の奥壁４３Ａに設けられた嵌合凹部５５に嵌合するようになっている。
すなわち、隣り合うキャビティ２４間における雌ハウジング２２とムービングプレート６０との間の隙間、隣り合うキャビティ４６間におけるムービングプレート６０と雄ハウジング４２との間の隙間の双方を、極間遮断部３０によって遮ることができるから、隣り合う雄端子４１同士が短絡することを抑制することができる。
【００５５】
また、本実施形態によると、隣り合う雄端子４１同士の短絡を抑制する極間遮断部３０に係合突起３１を設け、この係合突起３１の傾斜係合面３２とムービングプレート６０の貫通孔６５における被係合面６６とを係合させることで、ムービングプレート６０を完了位置から初期位置に引き戻すことができるようになっている。
つまり、従来のコネクタのように、ムービングプレートを完了位置から初期位置に変位させるためだけに、ムービングプレートに雌ハウジングと係合する係合部を別途設ける必要がなく、ムービングプレート６０を完了位置から初期位置に変位させることができる。これにより、従来に比べて、ムービングプレート６０を完了位置から初期位置に変位させるための構造を簡素化することができる。
【００５６】
更に、本実施形態によると、ムービングプレート６０が完了位置から初期位置に至ると、ムービングプレート６０の被係止縁部６４が初期位置係止片５０に係止されることにより、極間遮断部３０の係合突起３１とムービングプレート６０の被係合面６６との係合が解除され、ムービングプレート６０が初期位置に保持されるようになっているから、雌ハウジング２２に連れられて、ムービングプレート６０が初期位置よりも前方に変位したり、ムービングプレート６０がフード部４３から脱落したりすることを防ぐことができるようになっている。
【００５７】
また、本実施形態によると、上下に並んだ複数のキャビティ２４に対して１枚板となるように極間遮断部３０を一括して形成しているから、例えば、各キャビティ間毎に極間遮断部を個別に設ける場合に比べて、極間遮断部３０の構造の簡素化を図りつつ、極間遮断部３０の剛性を高めることができる。
【００５８】
＜他の実施形態＞
本明細書で開示される技術は上記記述及び図面によって説明した本実施形態に限定されるものではなく、例えば次のような種々の態様も含まれる。
（１）上記実施形態では、極間遮断部の係合突起における傾斜係合面と貫通孔の被係合面とを係合させるこで、ムービングプレートを初期位置に向かって変位させる構成とした。しかしながら、これに限らず、極間遮断部を貫通孔に圧入して極間遮断部とムービングプレートとを一体にすることにより、ムービングプレートを初期位置に向かって変位させる構成にしてもよい。
（２）上記実施形態では、左右方向両側の極間遮断部にのみ係合突起を構成した。しかしながら、これに限らず、全ての極間遮断部に係合突起を構成してもよく、左右方向中央部分の極間遮断部にのみ係合突起を構成してもよい。
（３）上記実施形態では、左右方向に隣り合うのキャビティ間の隔壁に極間遮断部を構成した。しかしながら、これに限らず、上下方向に隣り合うキャビティ間の隔壁に極間遮断部を構成してもよく、各キャビティを囲む隔壁に間欠的に極間遮断部を構成してもよい。
【符号の説明】
【００５９】
１０：コネクタ
２１：雌端子
２２：雌ハウジング
２３：雌側隔壁（隔壁）
３０：極間遮断部
３１：係合突起
４１：雄端子
４２：雄ハウジング
４３：フード部
５０：初期位置係止片（初期位置係止部）
５５：嵌合凹部
６０：ムービングプレート
６４：被係止縁部（被係止部）
【図１】
2016115461.tif 000003
【図２】
2016115461.tif 000004
【図３】
2016115461.tif 000005
【図４】
2016115461.tif 000006
【図５】
2016115461.tif 000007
【図６】
2016115461.tif 000008
【図７】
2016115461.tif 000009
【図８】
2016115461.tif 000010
【図９】
2016115461.tif 000011
【図１０】
2016115461.tif 000012
【図１１】
2016115461.tif 000013
【図１２】
2016115461.tif 000014
【図１３】
2016115461.tif 000015
【図１４】
2016115461.tif 000016
【図１５】
2016115461.tif 000017